(57)【要約】【課題】  この発明は、電気柵における高電圧発生回路において、０．１ｓの間に複数ショットを発振することを目的としたものである。【解決手段】  この発明は、０．１ｓ以下の時間と５００ｍＡ以下の電流の放電電撃を、０．７５ｓ以上の間隔で放電圧を生成する電気柵における電撃方法において、０．１ｓ以下の時間内に複数回の電撃放電を行うことを特徴とした電気柵における電撃方法により、目的を達成した。【選択図】              図１
2007060922.tif 000002
【特許請求の範囲】
【請求項１】
０．１ｓ以下の時間と５００ｍＡ以下の電流の放電電撃を、０．７５ｓ以上の間隔で放電圧を生成する電気柵における電撃方法において、０．１ｓ以下の時間内に複数回の電撃を発生することを特徴とした電気柵における電撃方法。
【請求項２】
電池等を電源とした発振回路より得た直流電圧を、充電用コンデンサーに充電し、この充電された充電電圧をサイリスター等のスイッチ素子を介して出力トランスの１次側に急激に電圧を発生させ、これにより出力トランスの２次側に電撃高電圧を得るようにした電気柵器において、前記高電圧発生回路の入力に、主タイマーを接続すると共に、複数の電圧発生回路を並列に接続し、夫々の電圧発生回路に、前記電圧を短秒時宛ずらして発生すべく副タイマーを介装したことを特徴とする電気柵器。
【請求項３】
各電圧発生回路の１次側の出力トランス全部に、１つの２次側トランスを対応させたことを特徴とする請求項２記載の電気柵器。
【請求項４】
各電圧発生回路の充電用コンデンサーは同一容量としたことを特徴とする請求項２記載の電気柵器。
【発明の詳細な説明】
【技術分野】
【０００１】
この発明は、牛、豚、その他の家畜及び野生動物の行動を阻止する為に、高圧通電用電線（裸線）を張設し、この電線に接触した動物に電圧電撃を与え、その移動を制限することを目的とした電気柵における電撃方法及び電気柵器に関する。
【背景技術】
【０００２】
従来使用されている電気柵における電圧電撃は、０．１ｓ（ｓは秒）以下の時間、５００ｍＡ以下の電流で、０．７５ｓ以上の間隔で行なわれるように規定されている。例えば、図３のように、１次側出力トランスと、スイッチ素子を直列に接続した直流回路に、電圧発生時間を規制するタイマーと、充電用コンデンサーの並列回路を設けて、１次側回路を構成し、前記１次側出力トランスと、２次側出力トランスとをトランス結合させている。従って、充電用コンデンサーで蓄積された電圧は、高電圧に変換されて高電圧による電撃を与えることになる。
【特許文献１】特開昭６２−２２３９８
【特許文献２】特公昭６４−７４８０
【特許文献３】実開昭６０−１１８８９８
【発明の開示】
【発明が解決しようとする課題】
【０００３】
前記従来の電気柵器においては、安全の為に、電圧発生時間０．１ｓ以下、電流５００ｍＡ以下、電圧発生間隔は０．７５ｓ以上（電流が流れない時間）と法規で定められている。一方動物が大型になった場合（例えば熊、猪など）には、前記法規に定められた範囲では、電撃力が小さく、動物を撃退するのに必要なショックを与えることができない問題点があった。即ち電圧と電流及び電圧生成間隔の三つの規制によって、電撃力を大きくできないので、大型動物に有効なショックを与えることができない問題点があった。
【０００４】
林間の田畑に警戒なく走り出る野生動物が、高速で走っている間に電気柵の電線に触れることになる場合が多いので、短時間に有効な電撃を与えることは至難とされていた。
【課題を解決するための手段】
【０００５】
この発明は、電圧発生時間０．１ｓの間に複数回（例えば４回〜１０回）放電させることにより、０．１ｓ間の総合電流５００ｍＡ以下で電撃力を２倍以上に増加させ、かつ電流を５００ｍＡ以下としても、電撃電気量総和を増大させ、前記従来の問題点を解決したのである。
【０００６】
即ち方法の発明は、０．１ｓ以下の時間と５００ｍＡ以下の電流の放電電撃を、０．７５ｓ以上の間隔で放電圧を生成する電気柵における電撃方法において、０．１ｓ以下の時間内に複数回の電撃を付与することを特徴とした電気柵における電撃方法である。
【０００７】
また電気柵器の発明は、電池等（電池及び一般電源）を電源とした発振回路より得た直流電圧を、充電用コンデンサーに充電し、この充電された充電電圧をサイリスター等のスイッチ素子を介して出力トランスの１次側に急激に電圧を発生させ、これにより出力トランスの２次側に電撃高電圧を得るようにした電気柵器において、前記高電圧発生回路の入力に、主タイマーを直列に接続すると共に、複数の電圧発生回路を並列に接続し、夫々の電圧発生回路に、前記電圧を短秒時宛ずらして発生すべく副タイマーを介装したことを特徴とする電気柵器であり、各電圧発生回路の１次側の出力トランス全部に、１つの２次側トランスを対応させたものである。
【０００８】
次に、各電圧発生回路の充電用コンデンサーは同一容量としたものであり、複数の電圧発生回路の電圧発生の総計時間は最大０．１ｓ以下で、その繰り返し時間は０．７５ｓ以上としたものである。
【０００９】
前記における０．１ｓ間の電圧発生回数は４〜１０回とし、１回の高電圧発生時間は０．５ｍｓ〜５ｍｓとする。
【００１０】
前記のように、基本回路へ主タイマーを接続し、電流の流れない時間を０．７５ｓ以上とする。また各１次側トランスの回路には、副タイマーを夫々接続し、各高電圧発生時間を０．５ｍｓ〜５．０ｍｓに規制する。
【００１１】
前記各０．１ｓ間における高電圧発生回数は、対象動物により異なるが、熊などの大型動物用には、５、６回以上高電圧を発生させ、電撃力を向上させることが有効である。
【００１２】
前記各０．１ｓ間の高電圧発生回数が増加しても、夫々の放電圧発生時間はきわめて短く（全部加えても０．１ｓ以下）、その電流を５００ｍＡ以下に押えることができる。
【００１３】
前記の反面、１回の高電圧の電撃力の大きさは、電気量の総和によって定まるので、同一高電圧では１回より複数回（例えば５回）の方が大きい。然して生体には０．５ｍｓ〜５ｍｓ程度の間隔は明確に把握されることなく、電撃力のみ増大して受け止められる結果、電気柵の電撃力の大きさとしては、電撃電圧回数だけプラスして伝播され、結果的に動物に対し大きな電撃力としての効果を奏し、目的を達成することができる。
【発明の効果】
【００１４】
この発明によれば、０．１ｓ間における電撃回数（電撃回数）を増加（２回以上、好ましくは５回以上）することにより、電流最高値を増大することなく、電撃力を著しく向上し得る効果がある。
【００１５】
従って同一電気柵器を使用し、対象動物毎に最適な電撃力を選択し得る効果がある。また電流・電圧を増大しないので、安全基準の法規内であり、かつ実際上も対象動物に危害を与えるおそれがないなどの諸効果がある。
【発明を実施するための最良の形態】
【００１６】
この発明は、直流電源の発振回路より得た直流電圧を、複数の充電コンデンサーに充電し、タイマーで決めた電撃電圧発生順位に沿って、０．５ｍｓ〜５ｍｓの間１次側回路へ順次電撃電圧を発生させ、これを２次側回路で変圧（高電圧化）して送電させ、規定時間内（０．１ｓ内）に、複数回（例えば４〜１０回）電撃高電圧を発生させる。
【００１７】
前記により、短時間内（０．１ｓ内）に、規定電流（５００ｍＡ）内で、高い電撃力（従来の２倍以上）を発生させることができる。従ってこの電気柵の電線に接触した動物に危害を与えることなく、有効に撃退させることができる。
【実施例１】
【００１８】
この発明の実施例を図１に基づいて説明すると、ＤＣ電源、ダイオードＤ１、抵抗器Ｒ１、１次側トランスＬ１、スイッチＳ１、及び１ｓ繰り返しタイマーＴ１よりなる回路ａ１にコンデンサーＣ１の回路ａ２を並列して、第１ショット回路Ａを構成する。
【００１９】
またＤＣ電源、ダイオードＤ２、抵抗器Ｒ２、１次側トランスＬ２、スイッチＳ２、１ショットタイマーＴ２及び１ｓ繰り返しタイマーＴ１よりなる回路ｂ１に、コンデンサーＣ２の回路ｂ２を並列接続して、第２ショット回路Ｂを構成する。前記のように、逐次１次側トランスを構成し、最終的に、ＤＣ電源、ダイオードＤｎ、抵抗器Ｒｎ、１次側トランスＬｎ、スイッチＳｎ、１ショットタイマーＴｎ及び０．７５ｓ繰り返しタイマーＴ１よりなる回路ｄ１にコンデンサーＣｎの回路ｄ２を並列接続して、第ｎショット回路Ｎを構成する。前記各１次側トランスＬ１、Ｌ２、Ｌｎに、２次側トランスＬを対向設置すれば、この発明のショット用変圧回路が構成される。
【００２０】
前記実施例において、繰り返しタイマーＴ１がＯＮになっている間に、コンデンサーＣ１、Ｃ２、Ｃｎに蓄積された電圧は、繰り返しタイマーＴ１、１ショットタイマーＴ２、Ｔｎによって一定間隔で各１次側トランスＬ１、Ｌ２、Ｌｎに電圧を入力し、繰り返しタイマーＴ１、１ショットタイマーＴ２、Ｔｎにより一定間隔毎に入力し、２次側トランスＬから高電圧が発振させられる。
【００２１】
然して、繰り返しタイマーＴ１がＯＦＦになると（０．１ｓの間隔になっている）、発振を終了する。ついで０．７５ｓ後繰り返しタイマーＴ１がＯＮになれば、前記のように、０．１ｓの間に０．５ｍｓ〜５．０ｍｓの電撃を複数ショット発振し、電線に接触した動物にショックを付与することになる。
【００２２】
前記のように、０．１ｓの間に複数ショット（例えば４回〜１０回）発振することにより、１ショットよりも２倍乃数倍の強いショックを与えることができるが、電流は５００ｍＡ以内へ押えられているため、動物に危害を与えるおそれはない。
【図面の簡単な説明】
【００２３】
【図１】この発明の実施例の一部を省略した高電圧発振回路図。
【図２】（ａ）同じく高電圧発振を示す模式図、（ｂ）同じく１ショット（０．１ｓの間）を示す図、（ｃ）同じく４ショット（０．１ｓの間）を示す図。
【図３】現に使用されている高電圧発振回路図。
【符号の説明】
【００２４】
Ｄ１、Ｄ２、Ｄｎ  ダイオード
Ｒ１、Ｒ２、Ｒｎ  抵抗器
Ｔ１、Ｔ２、Ｔｎ  タイマー
Ｌ１、Ｌ２、Ｌｎ  １次側トランス
Ｌ  ２次側トランス
Ｃ１、Ｃ２、Ｃｎ  コンデンサー
ａ１、ａ２、ｂ１、ｂ２、ｄ１、ｄ２  回路
【図１】
2007060922.tif 000003
【図２】
2007060922.tif 000004
【図３】
2007060922.tif 000005
【手続補正書】
【提出日】平成17年9月12日(2005.9.12)
【手続補正１】
【補正対象書類名】明細書
【補正対象項目名】０００４
【補正方法】変更
【補正の内容】
【０００４】
山間地を切り拓き、林間の田畑に警戒なく走り出る野生動物が、不用意に電気柵の電線に触れることになる場合が多いので、短時間に有効な衝撃電流を与えることが求められていた。
【手続補正２】
【補正対象書類名】明細書
【補正対象項目名】０００７
【補正方法】変更
【補正の内容】
【０００７】
また電気柵器の発明は、電池等（電池及び一般電源）を電源とした発振回路より得た直流電圧を、充電用コンデンサーに充電し、この充電された充電電圧をサイリスター等のスイッチ素子を介して出力トランスの１次側に急激に電圧を発生させ、これにより出力トランスの２次側に電撃高電圧を得るようにした電気柵器において、前記高電圧発生回路の入力に、主タイマーを接続すると共に、複数の電圧発生回路を並列に接続し、夫々の電圧発生回路に、前記電圧を短秒時宛ずらして発生すべく副タイマーを介装したことを特徴とする電気柵器であり、各電圧発生回路の１次側の出力トランス全部に、１つの２次側トランスを対応させたものである。
【手続補正３】
【補正対象書類名】明細書
【補正対象項目名】００１４
【補正方法】変更
【補正の内容】
【００１４】
この発明によれば、０．１ｓ間における電撃回数（電撃電気量）を増加（２回以上、好ましくは５回以上）することにより、電流最高値を増大することなく、電撃力を著しく向上し得る効果がある。
【手続補正４】
【補正対象書類名】明細書
【補正対象項目名】００２２
【補正方法】変更
【補正の内容】
【００２２】
前記のように、０．１ｓの間に複数ショット（例えば４回〜１０回）発生することにより、１ショットよりも２倍乃数倍の強いショックを与えることができるが、電流は５００ｍＡ以内へ押えられているため、動物に危害を与えるおそれはない。
【手続補正５】
【補正対象書類名】明細書
【補正対象項目名】００２３
【補正方法】変更
【補正の内容】
【００２３】
【図１】この発明の実施例の一部を省略した高電圧発振回路図。
【図２】（ａ）同じく高電圧発振を示す模式図、（ｂ）同じく１ショット（０．１ｓの間）を示す図、（ｃ）同じく４ショット（０．１ｓの間）を示す図。
【図３】現に使用されている高電圧発生回路図。
【手続補正６】
【補正対象書類名】図面
【補正対象項目名】図２
【補正方法】変更
【補正の内容】
【図２】
2007060922.tif 000006